(57)【特許請求の範囲】
【請求項１】
監視対象者に装着可能で、上記監視対象者への装着情報と上記監視対象者の生体情報と予め設定された識別情報とを含む情報を予め設定されたタイミングで無線送信する複数のセンサーユニットと、上記各センサーユニットからの送信を予め設定されたタイミングで無線受信し、上記受信した情報に基づき警告を行う受信ユニットとを含み、上記複数のセンサーユニットの各々は、上記無線送信するタイミングを他の上記センサーユニットの無線送信タイミングに対してずらしてあり、上記受信ユニットは、予め設定されたタイミングに上記無線送信される情報を受信できない場合及び上記装着情報が未装着を示す場合及び上記装着情報が装着を示す際には上記生体情報が異常状態を示す場合に上記警告を行うものであることを特徴とする自動緊急警報付ナースコール装置。
【請求項２】
上記各センサーユニットは、緊急警報スイッチを含み、この緊急警報スイッチが操作された際に緊急情報を無線送信するものであり、上記受信ユニットは、上記緊急情報を受信した際、上記警告を行うものであることを特徴とする請求項１に記載の自動緊急警報付ナースコール装置。
【請求項３】
上記受信ユニットによる警告は、鳴動装置及び／または表示装置によるものであることを特徴とする請求項１又は２に記載の自動緊急警報付ナースコール装置。
【発明の詳細な説明】
【０００１】
【発明の属する技術分野】
本発明は、病院等で入院患者等の状態を把握する場合に利用する自動緊急警報付ナースコール装置に関するものである。
【０００２】
【従来の技術】
従来の緊急通報システムは、入院患者に緊急通報用のスイッチを備えた例えばペンダントを携帯させ、このペンダントに設けられた緊急通報用のスイッチが操作された際に緊急通報を無線送信するようにし、例えばナース側にこの緊急通報を受信する受信機を持たせるものがある。この場合、入院患者がスイッチを押ことによりナースに緊急状態を知らせることができる。
【０００３】
【発明が解決しようとする課題】
このような従来の緊急通報システムにあっては、入院患者自らが緊急時にスイッチを押すものであるので、病状が急に悪化して自らスイッチを押せない場合には、ナースに緊急事態を通報できないという問題点があった。
【０００４】
【課題を解決するための手段】
上記の問題点を解決するために、本発明は、監視対象者に装着可能で、監視対象者への装着情報と監視対象者の生体情報と予め設定された識別情報とを含む情報を予め設定されたタイミングで無線送信する複数のセンサーユニットと、各センサーユニットからの送信を無線受信し、受信した情報に基づき警告を行う受信ユニットとを含むこととしている。このことにより、監視対象者に緊急な事態が起こり、自身で緊急通報が行えなかったとしても、設定されたタイミングで送信が行われ、これを受信して得られた情報から緊急事態の判断がなされて緊急通報がなされたと同様な結果が得られる。
【０００５】
また、上記の受信ユニットは各センサーユニットからの送信のタイミングで無線受信し、上記の複数のセンサーユニットの各々は、上記の無線送信するタイミングを他の上記センサーユニットの無線送信タイミングに対してずらしてあり、上記の受信ユニットは、予め設定されたタイミングに上記無線送信される情報を受信できない場合及び上記装着情報が未装着を示す場合及び上記装着情報が装着を示す際には上記生体情報が異常状態を示す場合に上記警告を行うこととしている。このことにより複数のセンサーユニットから同一の周波数で無線送信がなされても混信することなく受信され、監視対象者の異常な状態が迅速に警告され、その対応が可能になる。
【０００６】
また、上記の各センサーユニットは、緊急警報スイッチを含み、この緊急警報スイッチが操作された際に緊急情報を無線送信するものであり、受信ユニットは、緊急情報を受信した際、上記と同様の警告を行うこととしている。これにより監視対象者自身による緊急警報が可能であり、即刻対応することができる。
【０００７】
更に、上記の受信ユニットによる警告は、鳴動装置及び／または表示装置によるものであってもよい。
【０００８】
【発明の実施の形態】
本発明の実施の一形態について図面を参照して説明する。
【０００９】
本発明の自動緊急警報付ナースコール装置は、図３に示すように複数のセンサーユニット１と、このセンサーユニットからの送信を無線受信する受信ユニット９とを具備している。
【００１０】
先ず、センサーユニット１は入院患者などの監視対象者に装着可能なもので、図１に斜視図で示し、図４にブロック図で示すように、腕に密着して巻かれるバンド部分１ａに、内部時計を含む中央制御回路ＣＰＵ２に接続された緊急警報スイッチ３と、監視対象者としての患者等に装着されているかどうかの装着情報を得るための装着センサ４と、装着された患者の脈拍とか血圧とか体温などの生体情報を検出する生体情報センサ５と、時刻その他を液晶表示する液晶表示装置６とが設けてある。複数のセンサーユニットには、それぞれ送信機に固有の識別情報ＩＤが予め設定されて他のセンサーユニットと区別されている。上述した監視対象者への装着情報と監視対象者の生体情報と予め設定された識別情報とを含む情報は送信機７からアンテナ８を介して予め設定されたタイミングで定期的に無線送信される。また、センサーユニット１のそれぞれは、無線送信するタイミングを他のセンサーユニットの送信タイミングに対してずらしてあり、同一の周波数で送信しても混信しないようにしてある。
【００１１】
受信ユニット９はセンサーユニット１からの送信情報を無線受信するもので、図２に斜視図で示し、図５にブロック図で示すように、センサーユニット１内のアンテナ８からの送信情報をアンテナ１０で受信して受信機１１を介して内部時計を含む中央制御回路ＣＰＵ１２に供給し、この供給された情報は、本体９ａの前面に設けてある液晶表示部１３で、時刻や、どの患者からの送信であるか、どの病室であるか、脈拍はどうか、患者がセンサーユニットを未装着であるか、患者が所定の範囲から外れているか、等の情報を液晶表示する。本体９ａには、ブザー等の鳴動装置１４からの音を放音する放音孔１５が設けてある。なお、どの患者からの送信であるか、どの病室であるかの判定は、センサーユニット１に予め設定された識別情報と患者名および病室名を予め関連付けておくことにより判定する。
【００１２】
図３は全体の構成の概念図であり、ナース２０の腕に受信ユニット９が持たれており、各入院患者２１〜２５の腕にセンサーユニット１Ａ、１Ｂ、１Ｃ、１Ｄ、１Ｅが装着されている。
【００１３】
図６は主にセンサーユニット１の動作を説明するフローチャートであり、先ず、センサーユニット１と受信ユニット９を有線で接続し、電源投入やリセットスイッチ（図示せず。）の操作等により動作がスタートすると初期化（ステップｆ１）され、初期化に際し受信ユニット９は、各センサーユニット１に現在時刻を与え、各センサユニット１の内部時計の時刻を合わせる。また、各センサーユニット１にそれぞれの識別情報ＩＤを与える。各センサーユニット１はこのＩＤに応じて予め設定されている無線送信のタイミングに基づき無線送信のタイミングを設定する。この設定時刻はセンサーユニット毎に５分とか１０分間隔に、そして、他のセンサーユニットの無線送信のタイミングに対して、相互に時刻をずらして設定されるもので、複数のセンサーユニットが同時刻に無線送信されることがないようにしている。そして、設定された送信時刻になったかどうかが判断され（ステップｆ２）、当該時刻になっている場合には、センサーユニットの装着情報及び脈拍などの生体情報の有無を確認して（ステップｆ３）、この情報を識別情報ＩＤと共に無線送信する（ステップｆ４）。設定時刻になっていない場合には、警報スイッチが操作されたかを判断し（ステップｆ５）、操作されていなければ再度ステップｆ２に戻り、操作されている場合は緊急情報を無線送信する（ステップｆ６）。
【００１４】
図７は受信ユニット９の動作を説明するフローチャートであり、電源投入によりスタートすると先ず初期化され上述したように各センサーユニット１に対して所望の設定を行う（ステップｆ１１）。そして、緊急情報が受信されたか判断される（ステップｆ１２）。監視対象者すなわち患者は緊急スイッチを随時操作することができ、その場合には緊急情報と識別情報とが無線送信される。受信ユニット９はこれを受信した場合には、直ちに液晶表示部１３に警報表示と対象者表示（本例では患者表示）を行って警告すると共に、鳴動装置１４を作動して放音孔１５からブザー音を発して警告する（ステップｆ１３）。この警告は警報解除がなされない間継続する（ステップｆ１４）。ステップｆ１２において緊急情報が受信されていない場合には、受信予定時刻になっているかが判断される（ステップｆ１５）。受信予定時刻は上記の各センサーユニットに設定されている送信時刻に対応しており、この時刻になっている場合には、センサーユニット１からの情報が受信されているかが判断される（ステップｆ１６）。このとき受信するはずの情報のうちで受信していないものはないかが判断され、情報が受信されていなければ、入院患者が病院の外へ出たりして所定の範囲外にいる等の異常が推定されるので、上記の場合と同様に警告が発せられる（ステップｆ１３）。ステップｆ１６において情報が受信されている場合には、受信データが確認され（ステップｆ１７）、装着情報が未装着を示しているかが判断され（ステップｆ１８）、未装着の場合には危険が推定されるので、上記の場合と同様に警告が発せられる（ステップｆ１４）。装着情報が装着を示す際には、さらに生体情報に異常があるかが判断され（ステップｆ１９）、異常がある場合には上記の場合と同様に警告が発せられ（ステップｆ１３）、警報解除ｆ１４により一連の動作を終える。
【００１５】
なお、警告を発する情報は上記の例に限られるものでなく、必要に応じて種々の情報について警告を発するように構成してもよい。無線送信するタイミングについても、センサーユニットの数や監視対象者の状況に応じて適宜変更してもよい。センサーユニットにダイヤル式等のＩＤ設定装置を取り付ければ、センサーユニットを初期化する際に受信ユニットと有線で接続することを省略できる。また、受信ユニットと監視対象者（センサーユニット）とが離れていて電波到達範囲外であるときには、例えば病室の入り口に受信ユニットを配置し、ナース室にこの受信ユニットと有線接続した集中表示板を設置するようにしてもよい。
【００１６】
【発明の効果】
本発明は、以上説明したように、監視対象者に緊急な事態が起こり、自身で緊急通報が行えなかったとしても、設定されたタイミングで送信が行われ、受信した情報から緊急事態の判断がなされて緊急通報がなされたと同様な結果が得られる。自身で通報できたときには一層迅速な対応が可能である。警告を鳴動装置、表示装置により行うことで、通報が見落とされることなく確実に認識される効果がある。
【図面の簡単な説明】
【図１】本発明のセンサーユニットを示す斜視図である。
【図２】本発明の受信ユニットを示す斜視図である。
【図３】全体の構成の概念図である。
【図４】センサーユニットの構成を示すブロック図である。
【図５】受信ユニットの構成を示すブロック図である。
【図６】センサーユニットの動作を説明するフローチャートである。
【図７】受信ユニットの動作を説明するフローチャートである。
【符号の説明】
１、１Ａ〜１Ｅ  センサーユニット
９              受信ユニット
１３            表示装置
１４            鳴動装置
２１〜２５      監視対象者
【図１】
0003796385.tif 000002
【図２】
0003796385.tif 000003
【図３】
0003796385.tif 000004
【図４】
0003796385.tif 000005
【図５】
0003796385.tif 000006
【図６】
0003796385.tif 000007
【図７】
0003796385.tif 000008